(57)【要約】【課題】軒樋がストッパーにあたってさらに伸長する場合にも軒樋が排水能力を低下させることなくその伸長を吸収する軒樋接続装置を提供すること。【解決手段】両端に軒樋接続部３、３を形成した軒樋継ぎ手本体１の略中央部に落とし込み段差底面部４を形成すると共に該落とし込み段差底面部４に雨水排水落とし口５を形成して軒樋継ぎ手を構成し、嵌合筒体６に上外方に拡開突出する軒樋当止片７を突出形成してなるガード筒２を上記軒樋継ぎ手の雨水排水落とし口５に上方より着脱自在に嵌合して軒樋当止片７を軒樋継ぎ手内に突出せしめてと軒樋継ぎ手の両端の軒樋接続部３、３に接続した軒樋９、９が熱により伸長した際に軒樋当止片７により軒樋９、９が阻止され雨水排水落とし口５が遮蔽されることを防止し、さらに軒樋９、９の排水能力を低下させない軒樋接続装置。【選択図】図３
2008156880.tif 000002
【特許請求の範囲】
【請求項１】
両端に軒樋接続部を形成した軒樋継ぎ手本体の略中央部に落とし込み段差底面部を形成すると共に該落とし込み段差底面部に雨水排水落とし口を形成して軒樋継ぎ手を構成し、嵌合筒体に上外方に拡開突出する軒樋当止片を突出形成してなるガード筒を上記軒樋継ぎ手の雨水排水落とし口に上方より着脱自在に嵌合して軒樋当止片を軒樋継ぎ手内に軒樋当止片を突出せしめ、軒樋継ぎ手の両端の軒樋接続部に接続した軒樋が熱により伸長した際に軒樋当止片により軒樋が阻止され軒樋の排水能力の低下も防止する軒樋接続装置。
【発明の詳細な説明】
【技術分野】
【０００１】
本発明は、熱により伸長する軒樋に対応した軒樋接続装置に関する。さらに詳しくは、両端に軒樋接続部を形成した軒樋継ぎ手本体の略中央部に落とし込み段差底面部を形成すると共に該落とし込み段差底面部に雨水排水落とし口を形成して軒樋継ぎ手を構成し、嵌合筒体に上外方に拡開突出する軒樋当止片を突出形成してなるガード筒を上記軒樋継ぎ手の雨水排水落とし口に上方より着脱自在に嵌合して軒樋当止片を軒樋継ぎ手内に軒樋当止片を突出せしめ、軒樋継ぎ手の両端の軒樋接続部に接続した軒樋が熱により伸長した際に軒樋当止片により軒樋が阻止され雨水排水落とし口が遮蔽されることを防止する軒樋接続装置に関するものである。
【背景技術】
【０００２】
従来から下記特許文献１に示される集水器は知られている。即ち、この集水器は軒樋を縁切り（切断）せずに集水器に取り付けることができない構造を備えたもので、しかも温度変化により軒樋が伸縮しても排水性能が阻害されないものである。つまり、この従来の集水器では軒樋の温度が高くなって軒樋が伸長した場合でもストッパーにあたり集水器の排水口上方に達しないために排水性能が阻害されないものである。
【０００３】
しかしながら、軒樋の温度による伸長はストッパーにあたると停止する程度の力ではなく、その温度による伸長に達するまで伸長する。この従来の集水器の場合、軒樋がストッパーにあたりさらに伸長するとき軒樋はストッパーに沿って変形していくと考えられる。この従来の集水器のストッパーは上方に先細状に形成されているために軒樋はストッパーに沿って上方に変形するものと考えられる。
【０００４】
しかしながら、軒樋がストッパーに沿って上方に変形することは軒樋から集水器内への排水能力を阻害することになり、この意味ではこの従来の集水器では充分なものでなかった。一般に軒樋を施工する場合、季節により温度による伸長度合いを予測、つまり冬場に施工するときは夏場には大きく伸長することを予測して工事を行うが工事業者の施工現場での経験不足により充分なものでない場合がしばしば生じるものであった。
【特許文献１】特開平９−２５６８７号公報  （要約、図１）
【発明の開示】
【発明が解決しようとする課題】
【０００５】
本発明は、上記従来例における集水器のストッパーの形状を考察し、軒樋がストッパーにあたってさらに伸長する場合にも軒樋が排水能力を低下させることなくその伸長を吸収する軒樋接続装置を提供することをその課題とするものである。
【課題を解決するための手段】
【０００６】
上記課題を解決するために、本発明にかかる軒樋接続装置は、両端に軒樋接続部を形成した軒樋継ぎ手本体の略中央部に落とし込み段差底面部を形成すると共に該落とし込み段差底面部に雨水排水落とし口を形成して軒樋継ぎ手を構成し、嵌合筒体に上外方に拡開突出する軒樋当止片を突出形成してなるガード筒を上記軒樋継ぎ手の雨水排水落とし口に上方より着脱自在に嵌合して軒樋当止片を軒樋継ぎ手内に突出せしめ、軒樋継ぎ手の両端の軒樋接続部に接続した軒樋が熱により伸長した際に軒樋当止片により軒樋が阻止され、さらに伸長するときは軒樋が軒樋当止片に沿って下方に折曲し伸長を吸収するものである。
【発明の効果】
【０００７】
請求項１に記載の軒樋接続装置は、ガード筒が嵌合筒体に上外方に拡開突出する軒樋当止片を突出形成してなるために、軒樋継ぎ手の両端の軒樋接続部に接続した軒樋が熱により伸長した際に軒樋当止片により軒樋が阻止され、さらに伸長するときは軒樋が軒樋当止片に沿って下方に折曲して軒樋の伸長を吸収し、下方に折曲するために軒樋の排水能力を低下させることがないものである。
【発明を実施するための最良の形態】
【０００８】
以下、本発明の実施形態について図面を参照して、詳細に説明する。図１は本発明の軒樋接続装置である実施例の一部切欠分解斜視図、図２は図１に示す実施例の一部切欠斜視図、図３は図１に示す実施例に軒樋を接続した状態を示す一部切欠斜視図である。図１、図２において、１は軒樋継ぎ手本体、２はガード筒である。
【０００９】
軒樋継ぎ手本体１は両端に軒樋接続部３、３を形成し、略中央部に落とし込み段差底面部４を形成し、この落とし込み段差底面部４に雨水排水落とし口５を形成している。雨水排水落とし口５は内面にネジをきっており、ガード筒２を着脱自在に取り付けることができるものである。
【００１０】
ガード筒２は嵌合筒体６に上外方に拡開突出する軒樋当止片７を突出形成してなるもので嵌合筒体６外面には雨水排水落とし口５に螺装するネジ部を有するものである。ガード筒２の軒樋当止片７は嵌合筒体６に形成されており、この軒樋当止片７は上外方に拡開突出形成されており、上端は保持リング８で結合されている。
【００１１】
保持リング８は軒樋当止片７相互を連結し全体の強度を高めるものである。軒樋当止片７が上外方に拡開突出形成されているのは軒樋が伸長し軒樋当止片７にあたったときに軒樋端部を下方に案内するためである。
【００１２】
この軒樋継ぎ手を用いた軒樋接続装置は、図３に示す如く、まず軒樋継ぎ手本体１の雨水排水落とし口５にガード筒２の嵌合筒体６を着脱自在に嵌合し取り付ける。具体的には雨水排水落とし口５の内面のネジと嵌合筒体６外面のネジとにより螺装するものである。
【００１３】
次に、軒樋継ぎ手本体１の両端に形成した軒樋接続部３、３に各々軒樋９、９を取り付ける。この場合、軒樋９、９は一本通しではなく切断された状態で接続される。それはガード筒２の軒樋当止片７が上外方に拡開突出形成されているために一本通しにすることが出来ないためである。
【００１４】
この軒樋接続装置では軒樋９、９が伸長してもガード筒２の軒樋当止片７にあたる。さらに伸長した場合、軒樋９、９は上外方に拡開突出形成された軒樋当止片７に案内されることになる。この場合、軒樋当止片７は上外方に拡開突出形成されているために軒樋９、９の端部は下向きに案内される。このために軒樋９、９の軒樋継ぎ手内への排水能力は低下することがないものである。
【００１５】
また、軒樋当止片７はゴミよけの役割もはたすもので、軒樋継ぎ手本体１の雨水排水落とし口５にガード筒２の嵌合筒体６を着脱自在に嵌合し取り付けているためにゴミの除去も容易にできるものである。
【図面の簡単な説明】
【００１６】
【図１】本発明にかかる軒樋接続装置の実施例の一部切欠分解斜視図。
【図２】図１に示す実施例の一部切欠斜視図。
【図３】図１に示す実施例に軒樋を接続した状態の斜視図。
【符号の説明】
【００１７】
１            軒樋継ぎ手本体
２            ガード筒
３            軒樋接続部
４            落とし込み段差底面部
５            雨水排水落とし口
６            嵌合筒体
７            軒樋当止片
８            保持リング
９            軒樋
【図１】
2008156880.tif 000003
【図２】
2008156880.tif 000004
【図３】
2008156880.tif 000005